(57)【特許請求の範囲】
【請求項１】
一括表示が可能な文字数を超える文字を含む入力文字列をディスプレイにスクロール表示する文字表示装置において、
前記入力文字列から名詞を表す文字を検出する検出手段、
任意のキーワードを表す文字を保持する保持手段、
前記検出手段によって検出された文字の中から前記保持手段によって保持された文字と一致する文字を特定する第１特定手段、
前記第１特定手段によって特定された文字の少なくとも一部が前記ディスプレイに表示されるとき前記入力文字列のスクロール速度を低下させる第１速度低下手段、
書き換え可能な分野情報が各々に割り当てられた複数の文字を登録する分野解析辞書を記憶するメモリ手段、
前記検出手段によって検出された文字に関連する分野を前記分野解析辞書を用いて解析する第１解析手段、
前記保持手段によって保持された文字に関連する分野を前記分野解析辞書を用いて解析する第２解析手段、
前記第１解析手段によって解析された分野の中から前記第２解析手段によって解析された分野と一致する分野を特定する第２特定手段、および
前記第２特定手段によって特定された分野の解析元に相当する文字の少なくとも一部が前記ディスプレイに表示されるとき前記入力文字列のスクロール速度を低下させる第２速度低下手段を備えることを特徴とする、文字表示装置。
【請求項２】
前記第１特定手段によって特定された文字を強調編集する第１強調手段をさらに備える、請求項１記載の文字表示装置。
【請求項３】
前記第２特定手段によって特定された分野の解析元に相当する文字を強調編集する第２強調手段をさらに備える、請求項１または２記載の文字表示装置。
【請求項４】
前記キーワードを表す文字を入力するための操作キーをさらに備え、
前記保持手段は前記操作キーによって入力された文字を保持する、請求項１ないし３のいずれかに記載の文字表示装置。
【請求項５】
前記入力文字列と前記キーワードを表す文字とを受信する受信手段をさらに備え、
前記保持手段は前記キーワードを表す文字を保持する、請求項１ないし４のいずれかに記載の文字表示装置。
【発明の詳細な説明】
【０００１】
【産業上の利用分野】
この発明は、文字表示装置に関し、たとえば携帯型通信端末に適用され、一括表示が可能な文字数を超える入力文字列をディスプレイにスクロール表示する文字表示装置に関する。
【０００２】
【従来の技術】
従来の携帯型通信端末などの文字表示措置では、一括表示が可能な文字数を超えるメールなどの入力文字列を表示する場合に、文字情報をスクロールさせて表示していた。
【０００３】
【発明が解決しようとする課題】
しかし、従来は一定の速度でスクロールを行っていたため、文字情報の確認作業が単調となり、文字情報に含まれるオペレータにとって有用な文字列を見落としてしまうおそれがある。
【０００４】
それゆえに、この発明の主たる目的は、有用な文字列の見落としを防止することが可能な文字表示装置を提供することである。
【０００５】
【課題を解決するための手段】
この発明に従う文字表示装置は、一括表示が可能な文字数を超える文字を含む入力文字列をディスプレイにスクロール表示する文字表示装置において、入力文字列から名詞を表す文字を検出する検出手段、任意のキーワードを表す文字を保持する保持手段、検出手段によって検出された文字の中から保持手段によって保持された文字と一致する文字を特定する第１特定手段、第１特定手段によって特定された文字の少なくとも一部がディスプレイに表示されるとき入力文字列のスクロール速度を低下させる第１速度低下手段、書き換え可能な分野情報が各々に割り当てられた複数の文字を登録する分野解析辞書を記憶するメモリ手段、検出手段によって検出された文字に関連する分野を分野解析辞書を用いて解析する第１解析手段、保持手段によって保持された文字に関連する分野を分野解析辞書を用いて解析する第２解析手段、第１解析手段によって解析された分野の中から第２解析手段によって解析された分野と一致する分野を特定する第２特定手段、および第２特定手段によって特定された分野の解析元に相当する文字の少なくとも一部がディスプレイに表示されるとき入力文字列のスクロール速度を低下させる第２速度低下手段を備えることを特徴とする。
【０００６】
【作用】
入力文字列は、一括表示が可能な文字数を超える文字を含む。このような入力文字列をディスプレイにスクロール表示するとき、検出手段は、入力文字列から名詞を表す文字を検出する。保持手段には任意のキーワードを表す文字が保持される。
第１特定手段は、検出手段によって検出された文字の中から、保持手段によって保持された文字と一致する文字を特定する。入力文字列のスクロール速度は、第１特定手段によって特定された文字の少なくとも一部がディスプレイに表示されるとき、第１速度低下手段によって低下される。
また、メモリ手段は、分野解析辞書を記憶する。この分野解析辞書に登録された複数の文字の各々には、書き換え可能な分野情報が割り当てられる。第１解析手段は、検出手段によって検出された文字に関連する分野を分野解析辞書を用いて解析し、第２解析手段は、保持手段によって保持された文字に関連する分野を分野解析辞書を用いて解析する。
第１特定手段は、第１解析手段によって解析された分野の中から、第２解析手段によって解析された分野と一致する分野を特定する。入力文字列のスクロール速度は、第２特定手段によって特定された分野の解析元に相当する文字の少なくとも一部がディスプレイに表示されるとき、第２速度低下手段によって低下される。
【０００８】
この発明の好ましい実施例では、第１強調手段が第１特定手段によって特定された文字を強調編集する。
【００１１】
この発明の好ましい実施例では、第２強調手段が第２特定手段によって特定された分野の解析元に相当する文字を強調編集する。
【００１２】
この発明の好ましい実施例では、キーワードを表す文字は操作キーから入力され、保持手段に保持される。
【００１３】
この発明の好ましい実施例では、入力文字列とキーワードを表す文字とが、受信手段によって受信される。保持手段は、受信されたキーワードを表す文字を保持する。
【００１４】
【発明の効果】
この発明によれば、オペレータがキーワードを見落とすのを防止できる。
【００１５】
この発明の上述の目的，その他の目的，特徴および利点は、図面を参照して行う以下の実施例の詳細な説明から一層明らかとなろう。
【００１６】
【実施例】
図１にこの発明の実施例としての携帯電話機のブロック図を示す。携帯電話機１０は、操作キー１４を含んでおり、操作キー１４から出力された操作信号はＣＰＵ１２に与えられ、ＣＰＵ１２は与えられた操作信号に応じた処理を実行する。たとえば、オペレータが操作キー１４から電話番号を入力すると、ＣＰＵ１２がドライバ１６を制御してディスプレイ１８に電話番号を表示する。このあと、オペレータが操作キー１４から発呼操作を行うと、ＣＰＵ１２は通信回路２４を制御して相手方への発呼処理処理を行う。そして、相手方との接続状態が確立されると、ＣＰＵ１２は通信処理を行う。また、相手方から着呼があると、ＣＰＵ１２は着呼処理を行い、接続状態を確立して通信処理を行う。
【００１７】
相手方からメールなどの文字情報が送られてくる場合は、ＣＰＵ１２が着呼処理を行った後、文字情報がアンテナ２６および通信回路２４を通してＣＰＵ１２に与えられ、ＣＰＵ１２は文字情報をメモリ２０に格納する。さらに、ＣＰＵ１２はドライバ１６を制御してディスプレイ１８上にメールを受信した旨を表示する。オペレータが操作キー１４から受信したメールを閲覧するためのキー操作を行うと、その操作信号に応じてＣＰＵ１２は文字情報をメモリ２０から取得してドライバ１６に与える。つぎに、ＣＰＵ１２は、ドライバ１６に所定の制御信号を与える。さらに、ドライバ１６はＣＰＵ１２からの制御信号に応じて文字情報をディスプレイ１８に表示する。
【００１８】
ディスプレイ１８は、一括して表示できる文字列に制限がある。そのため、メール等に含まれる文字情報の文字数がディスプレイ１８の一括表示能力を超える文字列である場合には、ディスプレイ１８に文字列をスクロールさせて表示する。
【００１９】
携帯電話機１０は、文字列をディスプレイ１８に表示するときに、特定の文字列を強調編集し、さらに、強調編集された特定の文字列をディスプレイ１８上に表示する間はスクロール速度を通常よりも低下させる。表示文字列の例と、スクロール速度を変化させて強調編集された文字列がディスプレイ１８に表示される様子を図２に示す。
【００２０】
強調編集する文字列は、ユーザにより予め登録されたキーワードに基づいて決定される。ユーザは自分が興味や嗜好を示す名詞をキーワードとして登録する。ユーザによるキーワードの登録は、図３のフロー図に示す手順で行われる。ステップＳ１で、ユーザが操作キー１４の登録開始キー１４ａを押すと、操作信号がＣＰＵ１２に与えられ、キーワード登録モードとなる。ステップＳ３では、ユーザが操作キー１４の登録用キー群１４ｄからキーワードを入力する。登録用キー群１４ｄは、複数のキーを有しており、キーの押し下げ回数や押し下げるキーの組み合わせなどにより、ひらがな、片仮名、および、漢字などが入力できるようになっている。登録用キー群１４ｄから入力されたキーワードは、操作信号としてＣＰＵ１２に送られる。ステップＳ５では、ユーザが登録終了キー１４ｂを押すことにより、ＣＰＵ１２に送られたキーワードがメモリ２０に格納されるとともに、キーワード登録モードが終了する。
【００２１】
上述のように、携帯電話機１０がメールなどの文字情報を受信すると、ディスプレイ１８上にその旨が表示される。ユーザが、ディスプレイ１８に表示された文字情報を受信した旨の表示に促され、受信した文字情報を表示キー１４ｃを押し下げる。これにより、文字情報表示の操作信号が操作キー１４からＣＰＵ１２に与えられ、文字情報表示モードとなる。
【００２２】
文字情報表示モードで行われるＣＰＵ１４の処理を図4および図５のフロー図を用いて説明する。文字情報表示モードになると、ステップＳ１１でＣＰＵ１４は先ず、表示する文字列をメモリ２０から取得する。つぎに、ステップＳ１２で、形態素解析辞書に基づいて表示文字列中に含まれる名詞（以下、「名詞文字列」と呼ぶ）を抽出し、さらに、名詞文字列について分野解析辞書に基づいた分野別キーワードの抽出を行う。名詞文字列が、文字情報表示の際に強調編集される文字列の候補となる。強調編集の候補となった名詞文字列が実際に強調編集されるか否かは、図３のフロー図に示した手順に従って登録されたキーワード（以下「登録キーワード」と呼ぶ）との関係により決定される。ステップＳ１２における処理の内容を図６のフロー図および図８を用いてさらに詳細に説明する。
【００２３】
図８に示す文字列を用いて説明する。先ず、ステップＳ４１で、表示文字列に対して辞書用ＲＯＭ２２（図１）に記憶されている形態素解析辞書３０を用いて形態素解析を行い、文字列を品詞に分解し、さらに、品詞に分解した各文字列に対して品詞の分類を割り当てる。表示文字列を品詞に分解した結果を、図８の品詞分解結果３４に示し、品詞に分解された各文字列に対して品詞を割り当てた結果を品詞割り当て結果３６に示す。なお、品詞分解結果３４の各文字列と品詞割り当て結果３６の各品詞とは行方向に対応している（以下同じ）。
【００２４】
つぎに、ステップＳ４３で、品詞割り当て結果に基づいて品詞に分解された文字列から名詞（名詞文字列）を抽出する。名詞文字列に対しては、○印を付して名詞抽出結果３８に示す。
【００２５】
ステップＳ４５では、辞書用ＲＯＭ２２（図１）に記憶されている分野解析辞書３２を用いて、各名詞文字列に対する分野別キーワードを求める分野解析を行う。分野別キーワードとは、ある名詞文字列の意味を包含するような概念分野や関連分野を表すキーワードのことであり、名詞文字列に対してこの分野別キーワードを決定することを分野解析と呼ぶ。分野別キーワードとしては、図８の分野解析辞書３２に示すように、「情報」、「経済」、「文学」、「歴史」などが考えられるが、これらに限らず必要に応じて適宜追加変更することができる。この分野解析を行った結果を、分野解析結果４０に示す。分野解析結果４０に示すように、「機械翻訳」および「コンピュータ」のように異なる名詞であっても、概念分野や関連分野が同じと考えられる場合には、同じ分野別キーワード「情報」が割り振られる。分野解析結果４０では、１つの名詞文字列に対して１つの分野別キーワードが求められているが、複数の分野別キーワードが求まるようにしてもよい。
【００２６】
つぎに、ステップＳ４７で、求まった分野別キーワードと各名詞文字列とを対応付けてメモリ２０に格納して図４のステップＳ１２を終了する。
【００２７】
表示文字列から名詞を抽出し、分野別キーワードが求まると、図４のステップＳ１３で、ＣＰＵ１４は登録キーワードをメモリ２０から取得する。つぎに、ステップＳ１４で登録キーワードに対する分野別キーワードを求める。ここでの分野別キーワードの意味は、名詞文字列に対して求められた分野別キーワードと同じ意味である。ステップＳ１４での処理を、図７のフロー図を用いて詳しく説明する。ユーザによって、図９のキーワード４２に示すキーワードが予め登録されているものとする。
【００２８】
ステップＳ６１で、分野別解析辞書３２を用いて登録キーワードの分野解析を行う。分野別解析辞書３２は、表示文字列の分野解析に用いられたものと同じ辞書である。したがって、登録キーワードと名詞文字列とが同一でなくとも、同じ概念分野や関連分野に含まれる場合には、互いに同じ分野別キーワードが求まることになる。登録キーワードの分野解析結果を図９の分野解析結果４４に示す。分野解析結果４４に示すように、表示文字列に対する分野解析結果４０と登録キーワードに対する分野解析結果４４とには同一の分野別キーワードが含まれ得る。
【００２９】
つぎに、ステップＳ６３で、登録キーワードとこれに関連するキーワードの分野別キーワードとを対応付けてメモリ２０に格納しステップＳ１４の処理を終了する。
【００３０】
登録キーワードの分野解析が終了すると、ＣＰＵ１４はステップＳ１５以降に示す名詞文字列と登録キーワード、および名詞文字列の分野別キーワードと登録キーワードの分野別キーワードとのマッチングを行う。
【００３１】
このマッチング処理では、第１に各名詞文字列を各登録キーワードと比較し、登録キーワードとマッチする名詞文字列を求める。さらに、第２に名詞文字列の分野別キーワードを各登録キーワードの分野別キーワードと比較し、マッチする名詞文字列の分野別キーワードに対応する名詞文字列を求める。第１および第２の検索の結果求まるのは、いずれも名詞文字列であり、この名詞文字列を「マッチ名詞」と呼ぶ。つまり、マッチ名詞とは、登録キーワードと一致する名詞（一致名詞）ならびに登録キーワードに関連する分野別キーワードと一致する名詞（関連名詞）を含む概念である。なお、ここで言う一致とは、完全一致を意味する。
【００３２】
先ず、ステップＳ１５で、名詞文字列があるか否かを確認する。文字列名詞が存在する場合は、ステップＳ１６に進んで、名詞文字列と登録キーワードとの比較を行う。名詞文字列と登録キーワードとが一致する場合は、ステップＳ１８に進み、当該名詞文字列をマッチ名詞として特定してメモリ２０に保存する。つぎに、ステップＳ１５に戻って次の名詞文字列が存在するか否かを確認する。ステップＳ１６で、名詞文字列と登録キーワードとが一致しない場合は、ステップＳ１７に進み、当該名詞文字列の分野別キーワードと登録キーワードの分野別キーワードとの比較を行う。当該名詞文字列の分野別キーワードと登録キーワードの分野別キーワードとが一致する場合は、ステップＳ１８に進み当該名詞文字列をマッチ名詞として特定してメモリ２０に保存する。つぎに、ステップＳ１５に戻る。ステップＳ１７で、当該名詞文字列の分野別キーワードと登録キーワードの分野別キーワードとが一致しない場合は、当該名詞文字列を保存せずに、ステップＳ１５に戻って次の名詞文字列についての処理を行う。このようにして、名詞文字列がなくなるまでステップＳ１５からステップＳ１８の処理を繰り返し、すべてのマッチ名詞を求める。
【００３３】
つぎに、すべてのマッチ名詞が求まるとＣＰＵ１４は、表示文字列とマッチ名詞とを表示用の制御信号とともにドライバ１６に与える。
【００３４】
ステップＳ２１以降でディスプレイ１８に表示文字列を表示するための処理を行うが、ディスプレイ１８に一度に表示できる文字は１０文字であり、図２に示したように表示文字列をディスプレイ１８の右側から順次スクロールして表示する。
【００３５】
先ず、ステップＳ２１で、表示文字列が存在するか否かを確認する。二回目以降のステップＳ２１では、続いて新たに表示する後続文字列があるか否かを確認する。表示文字列または後続文字列が存在する場合にはステップＳ２１から、ステップＳ２５に進み、ディスプレイ１８に表示するための文字列をドライバ１６の表示用ワークエリア内（不図示）で１文字だけ左にシフトする。つぎに、ステップＳ２７で、表示ディスプレイ１８上にマッチ名詞が表示されるか否かを確認する。マッチ名詞の一部の文字だけでも表示される場合にはステップＳ２７から、ステップＳ２９に進み、ディスプレイ１８に表示されるべき文字列に含まれるマッチ名詞を強調編集してドライバ１６がディスプレイ１８に文字列を表示する。表示文字列の第１文字目がマッチ名詞である場合には、ディスプレイ１８の表示は図２の（Ａ）に示す状態となる。強調編集とは、マッチ名詞を他の文字列よりも視覚的に認識しやすいフォントを用いて表すことを指し、図２の例では、マッチ名詞の太字修飾、斜体修飾、下線修飾を行うとともに大きなポイント数で表示されている。ただし、強調編集はこれらの編集に限らず、反転表示などマッチ名詞を認識しやすくするものであればどのようなものでもよい。
【００３６】
つぎに、ステップＳ３１で、ディスプレイ１８の表示時間としてタイマに１秒をセットする。タイマをセットすると、ステップＳ３７でタイマが０であるか否かを確認する。タイマが０でない場合はステップＳ３７から、ステップＳ３９に進みタイマをカウントダウンして、ステップＳ３７に戻る。ステップＳ３７とステップＳ３９とをタイマが０になるまで繰り返し、タイマが０になるとステップＳ３７でＹｅｓと判断し、後続文字列を表示するためにステップＳ２１に戻る。このように、ディスプレイ１８にマッチ名詞が表示される場合には、１秒間文字列がディスプレイ上に表示される。
【００３７】
後続文字列が存在する場合にはステップＳ２１から、ステップＳ２５に進み表示文字列をさらに１文字左にシフトする。図２の（Ｂ）に示すように、ディスプレイ１８上にマッチ名詞の一部でも表示される場合はステップＳ２７から、ステップＳ２９、Ｓ３１、Ｓ３７、Ｓ３９を処理して文字列を１秒間表示する。
【００３８】
一方、図２の（Ｃ）に示すように、ディスプレイ１８上にマッチ名詞が表示されない場合は、ステップＳ３３で強調表示を施さないまま文字列を表示し、ステップＳ３５でタイマを０．５秒に設定する。タイマが０でない場合はステップＳ３７から、ステップＳ３９に進みタイマをカウントダウンして、ステップＳ３７に戻る。ステップＳ３７とステップＳ３９とをタイマが０になるまで繰り返し、タイマが０になると、後続文字列を表示するためにステップＳ２１に戻る。このように、ディスプレイ上にマッチ文字列が表示されない場合は、マッチ文字列が表示される場合よりも短い０．５秒間文字列がディスプレイ１８上に表示される。
【００３９】
後続文字列が存在しない場合はステップＳ２１から、ステップＳ２３に進み、現在ディスプレイ１８に表示されている文字列があるか否かを確認する。ディスプレイ１８に表示されている文字列が存在する場合にはステップＳ２３から、ステップＳ２５に進み、ステップＳ２５以降の処理を続ける。ディスプレイ１８上に表示されている文字列が存在しない場合には、処理を終了する。上述の処理を行うことにより、表示文字列がディスプレイ１８上に順次スクロールして表示され、マッチ名詞が表示される場合にはスクロール速度が低下される。なお、ディスプレイ１８の表示時間は１秒もしくは０．５秒としたが、これに限定するものではなく、マッチ名詞を含む文字列を表示する場合の表示時間がマッチ名詞を含まない文字列を表示する場合の表示時間よりも、視覚的に違いが感知できるだけ十分に長ければよい。
【００４０】
この発明の実施例によれば、受信した文字情報の中に、登録キーワードや登録キーワードに関連する名詞が含まれている場合には、その名詞を強調してディスプレイに表示するとともに、スクロール速度を低下させる。したがって、ユーザが、自身にとって重要な情報を見落とすことを防止でき、ユーザの文字列確認の労力を低減することができる。
【００４１】
この発明は、上述の実施例に限らず種々変更して実施してもよい。たとえば、表示文字列を一通りディスプレイに表示すると表示処理を終了することとしたが、これにかえて表示文字列を複数回連続して表示するようにしてもよい。
【００４２】
また、名詞文字列と登録キーワードとが一致する場合、および名詞文字列の分野別キーワードと登録キーワードの分野別キーワードとが一致する場合に当該名詞文字列をマッチ名詞としたが、名詞文字列と登録キーワードの分野別キーワードが一致する場合、および名詞文字列の分野別キーワードと登録キーワードとが一致する場合にも、当該名詞文字列をマッチ名詞とするようにしてもよい。
【００４３】
さらに、マッチ名詞を決定するときには、完全一致を条件としたが、前方一致もしくは後方一致のように一部が一致することを条件としてもよい。この場合には、登録キーワードもしくは名詞文字列が「電子辞書」などのように名詞の組み合わせからなる場合に、登録キーワードをより有効に活用して文字表示装置のオペレータに注意を促すことができる。
【００４４】
また、上述の実施例では、キーワードをユーザが登録することとしたが、これにかえて、所定の区切り情報により区切られたキーワードと表示文字列とを含んだ文字情報を受信し、受信したキーワード（以下、「受信キーワード」と呼ぶ）に基づいてマッチ名詞を決定するようにしてもよい。この場合に行われる処理は、図３、図４および図５に示すフロー図に代わって、図１０、図１１に示すフロー図に示す手順に従って行われる。これらのフロー図は、ステップＳ１１（図４）に代えて受信キーワードと表示文字列を取得するステップＳ７１を行い、文字情報から受信キーワードと表示文字列とを分離するステップＳ７３を行い、キーワードをメモリ２０から取得するステップＳ１５（図４）を行わない点を除いて、図４、図５に示すフロー図と同じである。この場合には、表示文字列の送り手が強調して伝えたい文字列を指定し、ユーザが表示文字列を見る際に強調して伝えたい文字列に注意を向けることが可能となる。
【００４５】
さらに、マッチ名詞を決定するキーワードとして、登録キーワードと送信キーワードとの両方を用いるようにしてもよい。
【００４６】
また、上述の実施例ではディスプレイにおける文字列のスクロール速度はマッチ名詞の有無によってのみ変更されることとしたが、これに加えて携帯電話機上に、たとえば操作キー部分にスクロールの速度をユーザが文字列の表示中に適宜変更することができる操作キーを設けるようにしてもよい。
【００４７】
さらに、マッチ名詞が表示される場合とされない場合の各スクロール速度をユーザが予め設定して記憶させることができるようにしてもよい。
【００４８】
また、上述の実施例ではディスプレイに表示される文字列のスクロール方向を右から左の方向としたが、スクロールの方向はこれに限らず、文字列をディスプレイにスクロールして表示させるものであればよく、左から右、上から下、下から上、さらには斜め方向であってもよい。
【図面の簡単な説明】
【図１】この発明を適用した携帯電話機の概要を示すブロック図である。
【図２】この発明を適用した携帯電話機のディスプレイ表示の様子を示す図解図である。
【図３】キーワード登録の手順を示すフロー図である。
【図４】ユーザにより登録されたキーワードに基づいて表示文字列をディスプレイに表示する手順を示すフロー図である。
【図５】図４のフロー図に続くフロー図である。
【図６】表示文字列の形態素解析および分野解析の手順を示すフロー図である。
【図７】キーワードの分野解析の手順を示すフロー図である。
【図８】表示文字列と表示文字列の各解析結果を示す図解図である。
【図９】キーワードの分野解析結果を示す図解図である。
【図１０】文字情報に含まれたキーワードに基づいて表示文字列をディスプレイに表示する手順を示すフロー図である。
【図１１】図１０のフロー図に続くフロー図である。
【符号の説明】
１０  …携帯電話機
１２  …ＣＰＵ
１４  …操作キー
１６  …ドライバ
１８  …ディスプレイ
２０  …メモリ
２４  …通信回路
２６  …アンテナ
【図１】
0003723393.tif 000002
【図２】
0003723393.tif 000003
【図３】
0003723393.tif 000004
【図４】
0003723393.tif 000005
【図５】
0003723393.tif 000006
【図６】
0003723393.tif 000007
【図７】
0003723393.tif 000008
【図８】
0003723393.tif 000009
【図９】
0003723393.tif 000010
【図１０】
0003723393.tif 000011
【図１１】
0003723393.tif 000012